(57)【特許請求の範囲】
【請求項１】
建物躯体の開口部に取り付けてある既設サッシを新設サッシに改修し、その新設上枠の室内側部および新設縦枠の室内側部にカバー材を取り付けた改修サッシであって、
前記新設上枠の室内側部および新設縦枠の室内側部に、面内方向に離隔した一対の係合受片を面外方向の室内側に向けて有し、この係合受片は、面外方向の室外側寄りに第１係合受部、面外方向の室内側寄りに第２係合受部を備え、
前記各カバー材は、本体と、この本体に面外方向室外側に向けて設けられ、前記第１係合受部に係合する係合部を備えた一対の係合片を有した第１のカバー材、又は本体と、この本体に面外方向室外側に向けて設けられ、前記第２係合受部に係合する係合部を備えた一対の係合片を有する第２のカバー材であることを特徴とする改修サッシ。
【請求項２】
前記係合部が第１係合受部又は第２係合受部に係合すると、前記カバー材の本体が係合受片の先端面に接するようにした請求項１記載の改修サッシ。
【請求項３】
前記一対の係合受片は、内側面に第１係合受部と第２係合受部が面内方向に対向してそれぞれ備え、前記第２係合受部の面内方向の第２間隔が第１係合受部の面内方向の第１間隔よりも大きく、
前記第１のカバー材の一対の係合片の係合部間の面内方向の第３間隔よりも、第２のカバー材の一対の係合片の係合部間の第４間隔が大きく、前記第３間隔は第１間隔よりも大きく、かつ第２間隔よりも小さく、前記第４間隔は第２間隔よりも大きい請求項１又は請求項２記載の改修サッシ。
【請求項４】
前記カバー材は、面内方向に向かう係合片取付部と、この係合片取付部の面内方向内側に設けた面外方向の室外側に向かうカバー部と、前記係合片取付部の面内方向外側と連続した覆い部を有し、前記覆い部に気密材が室外側に向けて装着し、
前記カバー材を取り付けた状態で、そのカバー部の先端部が新設上枠および新設縦枠の室内側部に接すると共に、前記気密材が既設上枠および既設縦枠の室内側部に接するようにした請求項１〜３いずれか１項に記載の改修サッシ。
【請求項５】
前記第２のカバー材は、その覆い部の先端部に凹部を有し、
この凹部が、新設上枠および新設縦枠の室内側部に設けた突起に嵌合している請求項４記載の改修サッシ。
【請求項６】
前記気密材は、取付部とヒレ部を有し、そのヒレ部は軟質の材料から形成されている請求項４又は請求項５記載の改修サッシ。
【発明の詳細な説明】
【技術分野】
【０００１】
本発明は、建物躯体の開口部に取り付けてある既設サッシを新設サッシに改修した改修サッシに関する。
【背景技術】
【０００２】
従来、改修サッシとしては、建物躯体の開口部に取り付けてある既設サッシ枠を除去し、その跡に新設サッシ枠を取り付けるようにした改修サッシや、建物躯体の開口部に既設サッシ枠を残存し、その既設サッシ枠内に新設サッシ枠を取り付けるようにした改修サッシが知られている。
前述したいずれの改修サッシにおいても、その新設サッシ枠の室内側部にカバー材を取り付けることがある。
例えば、特許文献１に開示したように、新設サッシ枠の新設上枠、新設縦枠の室内側部にカバー材（内側添枠）を係合して取り付けた改修サッシが提案されている。
【先行技術文献】
【特許文献】
【０００３】
【特許文献１】特公昭６４−５１５６号公報
【発明の概要】
【発明が解決しようとする課題】
【０００４】
前述した従来の改修サッシのように、新設上枠、新設縦枠の室内側部に係合受部を有する係合受片を設け、カバー材には係合部を有する係合片を設け、その係合片を係合受片に押し込むことで係合部と係合受部を係合してカバー材を取り付ければ、そのカバー材を簡単に取り付けできる。
前述のカバー材はアルミ材を押出し成形したアルミのカバー材が一般的であるが、近年は結露防止等のために合成樹脂材を押出し成形した樹脂のカバー材を取り付けることがある。
前記アルミのカバー材の係合片は、樹脂のカバー材の係合片と比べて弾性変形しづらいから、その係合片を長くして押し込み易くする必要があるので、係合受片も係合片に合わせて長くなる。
このために、アルミのカバー材の代りに樹脂のカバー材を取り付けると、その係合片の長さが係合受片の長さに合わせて長くなるので、係合片が弾性変形しすぎたり、押出成形の際に形状が安定し難いので、樹脂のカバー材の取り付けが不安定となってしまう。
このことを解消するには、樹脂のカバー材の係合片を短くすれば良いが、このようにすると係合受片が短いので、カバー材をアルミとした場合に係合片が弾性変形しづらく、アルミのカバー材を取付しづらくなってしまう。
【０００５】
本発明の目的は、新設上枠および新設縦枠の室内側部に、アルミのカバー材を簡単に取り付けできると共に、樹脂のカバー材を安定して取り付けできるようにした改修サッシとすることである。
【課題を解決するための手段】
【０００６】
本発明は、建物躯体の開口部に取り付けてある既設サッシを新設サッシに改修し、その新設上枠の室内側部および新設縦枠の室内側部にカバー材を取り付けた改修サッシであって、
前記新設上枠の室内側部および新設縦枠の室内側部に、面内方向に離隔した一対の係合受片を面外方向の室内側に向けて有し、この係合受片は、面外方向の室外側寄りに第１係合受部、面外方向の室内側寄りに第２係合受部を備え、
前記各カバー材は、本体と、この本体に面外方向室外側に向けて設けられ、前記第１係合受部に係合する係合部を備えた一対の係合片を有した第１のカバー材、又は本体と、この本体に面外方向室外側に向けて設けられ、前記第２係合受部に係合する係合部を備えた一対の係合片を有する第２のカバー材であることを特徴とする改修サッシである。
【０００７】
本発明においては、前記係合部が第１係合受部又は第２係合受部に係合すると、前記カバー材の本体が係合受片の先端面に接するようにできる。
このようにすれば、カバー材を、その本体が係合受片の先端面に接するまで押し込むようにして取り付けることで、カバー材を面外方向に位置決めして取り付けできる。
【０００８】
本発明においては、前記一対の係合受片は、内側面に第１係合受部と第２係合受部が面内方向に対向してそれぞれ備え、前記第２係合受部の面内方向の第２間隔が第１係合受部の面内方向の第１間隔よりも大きく、
前記第１のカバー材の一対の係合片の係合部間の面内方向の第３間隔よりも、第２カバー材の一対の係合片の係合部間の第４間隔が大きく、前記第３間隔は第１間隔よりも大きく、かつ第２間隔よりも小さく、前記第４間隔は第２間隔よりも大きくできる。
このようにすれば、長い係合片を有したカバー材を取り付けるときに、その係合部が第２係合受部に干渉せずに第２係合受部を越えて第１係合受部に係合するようにでき、長い係合片を有したカバー材を正しく取り付けできる。
【０００９】
本発明においては、前記カバー材は、面内方向に向かう係合片取付部と、この係合片取付部の面内方向内側に設けた面外方向の室外側に向かうカバー部と、前記係合片取付部の面内方向外側と連続した覆い部を有し、前記覆い部に気密材が室外側に向けて装着し、
前記カバー材を取り付けた状態で、そのカバー部の先端部が新設上枠および新設縦枠の室内側部に接すると共に、前記気密材が既設上枠および既設縦枠の室内側部に接するようにできる。
このようにすれば、係合受片、係合片が室内側から見えないから内観の見栄えが良い。
【００１０】
本発明においては、前記第２のカバー材は、その覆い部の先端部に凹部を有し、
この凹部が、新設上枠および新設縦枠の室内側部に設けた突起に嵌合するようにできる。
このようにすれば、樹脂のカバー材の覆い部の面内方向のソリを防止できる。
【００１１】
本発明においては、前記気密材は、取付部とヒレ部を有し、そのヒレ部は軟質の材料から形成されていることができる。
このようにすれば、強風等で新設サッシに負圧が作用し、新設サッシ枠が室外側に引張られたときに、気密材のヒレ部がそれぞれ弾性変形してカバー材は新設上枠、新設縦枠とともに室外側に動くので、係合受部と係合部が外れることがなく、カバー材が新設上枠、新設縦枠から外れることがない。
【発明の効果】
【００１２】
本発明によれば、第１係合受部に係合する係合部を備えた係合片を有した第１のカバー材であれば、その一対の係合片が長く弾性変形し易いから、カバー材をアルミとした場合でも一対の係合片を一対の係合受片に容易に押し込んで係合部と係合受部を係合して取り付けでき、新設上枠および新設縦枠の室内側部にアルミのカバー材を簡単に取り付けできる。
前記カバー材を、第２係合受部に係合する係合部を備えた係合片を有した第２のカバー材とすれば、その一対の係合片が短く弾性変形しすぎることがなく、押出成形の際に形状が安定するから、カバー材を樹脂とした場合でも安定して取り付けでき、新設上枠および新設縦枠の室内側部に樹脂のカバー材を安定して取り付けできる。
【図面の簡単な説明】
【００１３】
【図１】本発明の実施の形態を示す改修サッシの縦断面図である。
【図２】本発明の実施の形態を示す改修サッシの横断面図である。
【図３】新設上枠のカバー材取付部の拡大断面図である。
【図４】新設縦枠のカバー材取付部の拡大断面図である。
【図５】新設上枠に異なるカバー材を取り付けた拡大断面図である。
【図６】新設縦枠に異なるカバー材を取り付けた拡大断面図である
【発明を実施するための形態】
【００１４】
図１と図２に示すように、建物躯体１の開口部１ａには既設サッシの既設サッシ枠２が残存している。
この既設サッシ枠２内に、新設サッシの新設サッシ枠３を取り付け、その新設サッシ枠３に障子４を装着して改修サッシとしてある。
前記既設サッシ枠２は、既設上枠２０と既設下枠２１と左右の既設縦枠２２を備えている。
前記新設サッシ枠３は、新設上枠３０と新設下枠３１と左右の新設縦枠３２を備え、その新設上枠３０が既設上枠２０に取り付けてあると共に、新設下枠３１、新設縦枠３２が新設下枠２１、既設縦枠２２にそれぞれ取り付けてある。
【００１５】
例えば、既設上枠２０に下地材５を固定し、この下地材５にスペーサ６を介して新設上枠３０を固定して新設上枠３０を既設縦枠２０に取り付けている。
左右の新設縦枠３２も新設上枠３０と同様に、既設縦枠２２に固定した下地材５にスペーサ６を介して固定して取り付けてある。
前記新設下枠３１は、既設下枠２１の室内側レール２１ａに固定した支持材７に固定して取り付けてある。
前述の新設上枠３０、新設下枠３１、新設縦枠３２の取り付け方は前述に限ることはなく、任意の取り付け方で取り付けても良い。
また、既設サッシ枠２を除去し、その跡に新設サッシ枠３を取り付けて改修サッシとしても良い。
要するに、建物躯体１の開口部１ａに取り付けてある既設サッシを新設サッシに改修した改修サッシであれば良い。
【００１６】
前記新設上枠３０の室内側部３０ａにカバー材８が取り付けてある。このカバー材８は既設上枠２０の室内側部２０ａと対向し、既設上枠２０と新設上枠３０との間を隙間を閉塞し、下地材５やスペーサ６などが室内側から見えないようにしてある。
前記新設縦枠３２の室内側部３２ａにもカバー材８が取り付けてある。このカバー材８は既設縦枠２２の室内側部２２ａと対向して既設縦枠２２と新設縦枠３２との間の隙間を閉塞し、下地材５やスペーサ６などが室内側から見えないようにしている。
【００１７】
次に、カバー材８の取り付けを説明する。
図３に示すように、新設上枠３０の室内側部３０ａに一対の係合受片４０，４０が面外方向の室内側に向けて一体に設けてある。この一対の係合受片４０，４０は面内方向（上下方向）に離隔している。
この各係合受片４０は、第１係合受部４１と第２係合受部４２を有し、その第１係合受部４１が面外方向の室外側寄りで、第２係合受部４２が面外方向の室内側寄りとなるように面外方向に離隔している。
【００１８】
前記カバー材８は、本体５０と、この本体５０に設けた一対の係合片５１を有し、その各係合片５１は係合部５２を有している。
この係合片５１の長さ（本体５０から係合部５２までの距離）は、本体５０が前記一対の係合受片４０の先端面に接したときに、その係合部５２が第１係合受部４１に係合する長さである。
【００１９】
前記カバー材８を室外側に向けて押して一対の係合片５１を一対の係合受片４０に押し込むことで、その係合部５２と第１係合受部４１が係合してカバー材８を新設上枠３０の室内側部３０ａに取り付けできる。
このようであるから、カバー材８の係合片５１の長さは、その係合部５２が第２係合受部４２に係合する係合片の長さよりも長いので、カバー材８をアルミとした場合、例えばアルミの押出形材とした場合でも、そのカバー材８を簡単に取り付けできる。
しかも、本体５０が一対の係合受片４０の先端面に接することでカバー材８が面外方向に位置決めされるので、カバー材８を押し込むことで面外方向に位置決めして取り付けできる。
【００２０】
図４に示すように、前記新設縦枠３２の室内側部３２ａに取り付けるカバー材８は、前述の新設上枠２０の室内側部２０ａに取り付けるカバー材８と同一形状で、同様にして取り付けられる。
つまり、新設縦枠３２の室内側部３２ａに一対の係合受片４０，４０が面内方向（左右方向）に離隔して設けてあり、カバー材８の一対の係合片５１の係合部５２が第１係合受部４１に係合して取り付けてある。
【００２１】
図５、図６は、樹脂のカバー材８を新設上枠３０、新設縦枠３２の室内側部３０ａ，３２ａに取り付けた断面図で、その新設上枠３０、新設縦枠３２は前述の図１〜図４に示す新設上枠３０、新設縦枠３２と同一である。
前記カバー材８は本体５０に一対の係合受片５１を設けた点が前述の図３、図４に示すカバー材８と同様であるが、その一対の係合片５１の長さ（本体５０から係合部５２までの距離）が前述の係合片５１の長さよりも短く、その係合部５２が第２係合受部４２に係合する長さである。
【００２２】
このようであるから、カバー材８の一対の係合片５１の長さが短く、樹脂のカバー材であっても係合片５１が弾性変形しすぎることがなく、押出成形の際に形状が安定するので、新設上枠３０、新設縦枠３２の室内側部３０ａ，３２ａに樹脂のカバー材８を安定して取り付けできる。
【００２３】
図３〜図６に示すように、前記一対の係合受片４０，４０は、その面内方向に相対向した内側面４０ａに第１係合受片４１、第２係合受部４２が面内方向に相対向してそれぞれ備えている。
前記相対向した第１係合受部４１間の面内方向の第１間隔Ｌ１と、相対向した第２係合受部４２間の面内方向の第２間隔Ｌ２は、前記第２間隔Ｌ２が第１間隔Ｌ１よりも大きい。
図示の一対の係合受片４０，４０は、先端部分４０ｂの間隔が基端部分４０ｃの間隔よりも大きく、その先端部分４０ｂに第２係合受部４２が一体に設けてあると共に、前記基端部分４０ｃの先端部分４０ｂ寄りに第１係合受部４１が一体に設けてある。
【００２４】
図３〜図６に示すように、前記カバー材８の一対の係合片５１は、その面内方向に相対向した内側面５１ａとは面内方向に反対側の外側面５１ｂに係合部５２を備えている。
図３、図４に示す長い係合片５１のカバー材８の場合には、その一対の係合片５１の係合部５２間の面内方向の第３間隔Ｌ３が、図５、図６に示す短い係合片５１のカバー材８の場合の一対の係合片５１の係合部５２間の面内方向の第４間隔Ｌ４よりも小さく、かつ前記第２係合受部４２間の面内方向の第２間隔Ｌ２より小さい。
そして、長い係合片５１の場合には図３、図４に示すように係合部５２が第２係合受部４２を越えて第１係合受部４１に係合し、一対の係合片５１を一対の係合受片４０間に押し込む際に係合部５２が第２係合受部４２と干渉しないようにしてある。
【００２５】
このようであるから、長い係合片５１を有したカバー材８を取り付けるときに、その係合部５２が第２係合受部４２に係合することでカバー材８を取り付けできたと誤って判断することがなく、係合部５２が第１係合受部４１に係合したことでカバー材８を取り付けできたと正しく判断できるから、長い係合片５１を有したカバー材８を正しく取り付けできる。
【００２６】
図５、図６に示すように、短い係合片５１を有したカバー材８の場合には、その一対の係合片５１の係合部５２間の面内方向の第４間隔Ｌ４が、前記第２係合受部４２間の面内方向の第２間隔Ｌ２より大きく、その係合部５２が一対の係合受片４０の第２係合受部４２に係合する。
【００２７】
図３〜図６に示すように、前記新設上枠３０および新設縦枠３２の室内側部には、その係合受片４０よりも面内方向内側寄りに突起４３が室内側に突出してそれぞれ有する。
前記カバー材８の本体５０は、面内方向に向かう係合片取付部５３と、この係合片取付部５３の面内方向内側部に設けた面外方向の室外側に向かうカバー部５４と、前記係合片取付部５３の面内方向外側部と連続した覆い部５５を有し、その覆い部５５に気密材５６が室外側に向けて装着してある。
この気密材５６は取付部５６ａと、この取付部５６ａに設けたヒレ部５６ｂを備え、その取付部５６ａが覆い部５５の凹溝５５ａに嵌め込んで取り付けてある。
【００２８】
そして、カバー材８を取り付けると、前記カバー部５４の先端面が新設上枠３０、新設縦枠３２の室内側部３０ａ，３２ａ（室内側面）に接し、係合受片４０、係合片５１が室内側から見えないようにして内観の見栄えを良くしている。
また、前記気密材５６のヒレ５６ｂが既設上枠２０および既設縦枠２２の室内側部２０ａ，２２ａ（室内側面）に接して前述の隙間を閉塞している。
【００２９】
図５、図６に示すように、短い係合片５１を有したカバー材５０は、そのカバー部５４の先端部に凹部５７を有し、この凹部５７は室外側に向けて開口している。
そして、カバー材８を取り付けたときに、カバー部５４の凹部５７が前記突起４３に嵌合し、カバー部５４の先端部が面内方向の内側に動かないように規制している。
このようであるから、樹脂のカバー材８のカバー部５４が面内方向の内側に向けて湾曲変形、つまりソリを防止し、カバー部５４と新設上枠３０および新設縦枠３２の室内側部３０ａ，３２ａの面内方向内側端面を面一に維持することができる。
【００３０】
図３〜図６に示すように、各気密材５６は、その取付部５６ａが硬質もしくは半硬質の合成樹脂材料から形成され、ヒレ部５６ｂが軟質の合成樹脂材料から形成されている。つまり、ヒレ部５６ｂが軟質の材料であれば良い。
これによって、ヒレ部５６ｂが取付部５６ａに対して弾性変形し易くなる。
このようであるから、気密材５６のヒレ部５６ｂが既設上枠２０、既設縦枠２２の室内側部２０ａ，２２ａに接している状態で、カバー材８に室外側に向かう荷重が作用したときに、その各ヒレ部５６ｂが取付部５６ａに対してスムーズに室内側に弾性変形するので、前述の荷重によってカバー材８が室外側に動くことになる。
したがって、強風によって新設サッシに負圧が作用して室外側に引張られたときに、新設上枠３０、新設縦枠３２とともにカバー材８が室外側に動くので、係合部５２が係合受部４１，４２から外れることがなく、カバー材８が新設上枠３０、新設縦枠３２から外れることがない。
【符号の説明】
【００３１】
１…建物躯体、１ａ…開口部、２…既設サッシ枠、３…新設サッシ枠、８…カバー材、２０…既設上枠、２０ａ…室内側部、２２…既設縦枠、２２ａ…室内側部、３０…新設上枠、３０ａ…室内側部、３２…新設縦枠、３２ａ…室内側部、４０…係合受片、４１…第１係合受部、４２…第２係合受部、４３…突起、５０…本体、５１…係合片、５２…係合部、５３…係合片取付部、５４…カバー部、５５…覆い部、５６…気密材、５６ａ…取付部、５６ｂ…ヒレ部、５７…凹部。
【図１】
0005435572.tif 000002
【図２】
0005435572.tif 000003
【図３】
0005435572.tif 000004
【図４】
0005435572.tif 000005
【図５】
0005435572.tif 000006
【図６】
0005435572.tif 000007